(57)【要約】【課題】以降に要求されるチャンネルまたはＣＡＳ事業体の番組の受信を可能に、ＣＡＳ事業体が提供するＣＡＳカード（識別機構）を選択する。【解決手段】この発明の受信装置及び受信方法は、事業体情報またはコンテンツが含む制御情報により特定される管理情報に基づく受信可能なストリーム提供元の事業体範囲またはコンテンツが異なる２以上の識別機構（カード（１）／カード（２））を有する受信装置（１０１）においてストリームまたはコンテンツを受信する際に、識別機構に付与されている受信可能事業体範囲またはコンテンツを取得し、ストリームまたはコンテンツを受信する際に用いる識別機構を設定する際に、以降のストリームまたはコンテンツの受信時に、識別機構に付与されている受信可能事業体範囲またはコンテンツの範囲がより広い範囲の識別機構を利用可能とする。【選択図】図１
2011071759.tif 000002
【特許請求の範囲】
【請求項１】
ストリームを受信し、ストリーム供給元の事業体情報を取得する取得モジュールと、
前記取得モジュールが取得したストリーム供給元の事業体情報が特定の事業体にのみに対応する第１の識別機構によりデスクランブル可能である場合、第１の識別機構に対してストリームのデスクランブルを可能とする解除キーを割りあてる識別機構制御モジュールと、
を有することを特徴とする受信装置。
【請求項２】
第１の識別機構がデスクランブル可能なストリームは、コンテンツ保護を伴うが無料のストリームであることを特徴とする請求項１記載の受信装置。
【請求項３】
第１の識別機構がデスクランブル可能なストリームは、地上デジタル放送であることを特徴とする請求項２記載の受信装置。
【請求項４】
第１の識別機構は、限定受信システム（Conditional Access System，ＣＡＳ）事業体が提供する番組の受信を可能とするＣＡＳカードを含むことを特徴とする請求項３記載の受信装置。
【請求項５】
前記取得モジュールが取得したストリームを表示する表示装置を有することを特徴とする請求項１記載の受信装置。
【請求項６】
ストリームを受信し、ストリーム供給元の事業体情報を取得する取得モジュールと、
前記取得モジュールが取得したストリーム供給元の事業体情報が特定の事業体にのみに対応する第１の識別機構によりデスクランブル可能であるか、第１の識別機構よりも対応する事業体が多い第２の識別機構によりデスクランブルする必要があるか、を検出してストリームのデスクランブルを可能とする解除キーを割りあてる識別機構を選択する識別機構制御モジュールと、
を有することを特徴とする受信装置。
【請求項７】
第１の識別機構がデスクランブル可能なストリームは、コンテンツ保護を伴うが無料のストリームであることを特徴とする請求項６記載の受信装置。
【請求項８】
第１の識別機構がデスクランブル可能なストリームは、地上デジタル放送であることを特徴とする請求項７記載の受信装置。
【請求項９】
事業体情報またはコンテンツが含む制御情報により特定される管理情報に基づく受信可能なストリーム提供元の事業体範囲またはコンテンツが異なる２以上の識別機構を有する受信装置においてストリームまたはコンテンツを受信する際に、
識別機構に付与されている受信可能事業体範囲またはコンテンツを取得し、
ストリームまたはコンテンツを受信する際に用いる識別機構を設定する際に、以降のストリームまたはコンテンツの受信時に、識別機構に付与されている受信可能事業体範囲またはコンテンツの範囲がより広い範囲の識別機構を利用可能とすることを特徴とする受信方法。
【発明の詳細な説明】
【技術分野】
【０００１】
この発明は、２以上の供給元あるいは配信事業者（ＣＡＳ事業体）から提供される番組を、２以上受信する受信装置及び受信方法に関する。
【背景技術】
【０００２】
従来からの地上アナログ放送や普及がめざましい地上デジタル放送、あるいは衛星放送等、映像及び音声を含む番組（コンテンツ）の供給元の選択岐に亘っている。また、高速通信網の普及にともない、有線方式で番組を配信する配信事業者やネットワーク上に公開した番組をユーザに取得させる形式を取る供給元（事業体）も増えている。
【０００３】
このような背景から、ユーザが希望する２以上の供給元から、同時に、あるいは時間帯の一部が重複する状態で、２以上受信できることに対するユーザの要望も増えている。
【０００４】
地上デジタル放送や衛星放送の供給元、あるいは有線方式の配信事業者が提供する番組は、ユーザの意思による受信であるため、限定受信システム（Conditional Access System，ＣＡＳ）と称される。ＣＡＳを受信可能な受信装置には、ＣＡＳ事業体が用意した識別カード（ＣＡＳカードと呼ばれる）が要求される。ＣＡＳカードは、供給元あるいは配信事業者の事業形態に基づき、複数種類が用意されている。
【０００５】
特許文献１には、２以上のＣＡＳカードを用いて複数の限定受信システムの番組の受信が可能な受信装置において、ＣＡＳカード（識別機構）が保持するＩＤ（識別符号）を検出してＣＡＳカードの種類を特定する受信装置が示されている。
【先行技術文献】
【特許文献】
【０００６】
【特許文献１】特開２００６−２５３９２３号公報
【発明の概要】
【発明が解決しようとする課題】
【０００７】
特許文献１は、ＣＡＳカードの種類を特定することを開示するが、ユーザが受信しようとしている番組とＣＡＳカードの種類とを関連づけることや、より多くの番組を受信可能とするための（種類を特定した）ＣＡＳカードの選択については、言及されていない。
【０００８】
この発明の目的は、２以上の供給元またはＣＡＳ事業体が提供するさまざまな番組を受信する受信装置において、任意のチャンネルまたはＣＡＳ事業体の番組を受信する際に、以降に要求されるチャンネルまたはＣＡＳ事業体の番組の受信を可能に、ＣＡＳ事業体が提供するＣＡＳカード（識別機構）を選択する受信装置を提供することである。
【課題を解決するための手段】
【０００９】
この発明は、上記問題点に基づきなされたもので、ストリームを受信し、ストリーム供給元の事業体情報を取得する取得モジュールと、前記取得モジュールが取得したストリーム供給元の事業体情報が特定の事業体にのみに対応する第１の識別機構によりデスクランブル可能である場合、第１の識別機構に対してストリームのデスクランブルを可能とする解除キーを割りあてる識別機構制御モジュールと、を有することを特徴とする受信装置を提供するものである。
【００１０】
また、この発明は、ストリームを受信し、ストリーム供給元の事業体情報を取得する取得モジュールと、前記取得モジュールが取得したストリーム供給元の事業体情報が特定の事業体にのみに対応する第１の識別機構によりデスクランブル可能であるか、第１の識別機構よりも対応する事業体が多い第２の識別機構によりデスクランブルする必要があるか、を検出してストリームのデスクランブルを可能とする解除キーを割りあてる識別機構を選択する識別機構制御モジュールと、を有することを特徴とする受信装置を提供するものである。
【００１１】
また、この発明は、事業体情報またはコンテンツが含む制御情報により特定される管理情報に基づく受信可能なストリーム提供元の事業体範囲またはコンテンツが異なる２以上の識別機構を有する受信装置においてストリームまたはコンテンツを受信する際に、識別機構に付与されている受信可能事業体範囲またはコンテンツを取得し、ストリームまたはコンテンツを受信する際に用いる識別機構を設定する際に、以降のストリームまたはコンテンツの受信時に、識別機構に付与されている受信可能事業体範囲またはコンテンツの範囲がより広い範囲の識別機構を利用可能とすることを特徴とする受信方法を提供するものである。
【発明の効果】
【００１２】
この発明の一つの実施の形態は、受信しようとしているストリーム（コンテンツあるいは番組）を提供するＣＡＳ事業体の情報に基づいて用意されている識別機構（ＣＡＳカード）により規定される受信範囲（チャンネルまたはＣＡＳ事業体）が異なる場合に、以降に要求される受信範囲（チャンネルまたはＣＡＳ事業体）の選択に際してより広い範囲の受信が可能に、識別情報が選択される。すなわち、ユーザは、受信しようとした番組の供給元または配信事業者の事業形態を考慮することなく、希望する番組をそのまま受信できる。従って、ユーザの希望する番組が、識別機構（ＣＡＳカード）の違いにより受信できなくなることが低減される。
【００１３】
また、受信可能な範囲が異なる２以上のＣＡＳカードが用意されている場合において、それぞれのカードで共通して受信可能な受信範囲を受信する際に、受信範囲が広いカードを後から利用するよう制御することにより、受信範囲が広いカードによってのみ受信可能な特定のチャンネルまたはＣＡＳ事業体を受信できなくなる恐れが抑止される。従って、受信範囲が広いカードを保持したユーザが、代替のカードが存在するにもかかわらず、受信範囲が広いカードが既に利用されていることに起因して、希望する番組を受信できなくなることが低減される。
【００１４】
なお、カードは、ユーザが直接選択する場合を除いて自動的に選択されるので、ユーザの操作性が向上する。
【図面の簡単な説明】
【００１５】
【図１】この発明の実施の形態が適用可能な受信装置の構成の一例を示す概略図。
【図２】図１に示した受信装置に組み込まれるＣＡＳ制御モジュールの構成の一例を示す概略図。
【図３】図１および図２に示した受信装置において、用意されているＣＡＳカード（制御情報）に応じて、ＣＡＳカードの利用を設定する方法の一例を示す概略図。
【図４】図１および図２に示した受信装置において、用意されているＣＡＳカード（制御情報）に応じて、ＣＡＳカードの利用を設定する方法の一例を示す概略図。
【図５】図１および図２に示した受信装置において、用意されているＣＡＳカード（制御情報）に応じて、ＣＡＳカードの利用を設定する方法の一例を示す概略図。
【発明を実施するための形態】
【００１６】
以下、図面を参照して、本発明の実施の一形態について説明する。
【００１７】
図１は、この発明を適用した受信装置の構成を概略的に示す。なお、図１に示す受信装置は、所定の容量の記録媒体を内蔵したレコーダ装置（テレビジョン放送記録再生装置）としての機能を有し、地上アナログ放送、地上デジタル放送、衛星デジタル放送及び有線方式で番組を配信する配信事業者（ケーブルテレビジョン事業体）等の供給元（以下、ＣＡＳ（Conditional Access System）と呼称する）が提供するさまざまなコンテンツを受信して再生信号を出力するとともに、ユーザが希望するコンテンツについては、ユーザの希望する画質及び音質により記録できる。なお、ＣＡＳは、ユーザの意思による受信であるため、限定受信システムとも呼ばれる。また、コンテンツは、映像及び音声もしくは音楽等を含み、広く「番組」と称される。また、映像は、動画と静止画、あるいはテキストを主体とした文字放送やデータ放送の表示等を含む。また、受信装置は、主としてケーブルテレビジョン事業体の放送基地（配信）局から配信される番組を受信するセットトップボックス（ＳＴＢ）等であってもよい。また、受信装置は、表示装置を一体に有するテレビ受信装置であってもよい。
【００１８】
図１に示す受信装置１０１は、任意数の入力１ａ，１ｂ，・・・，１ｎ−１，１ｎ（ｎは、正の整数）から入力される信号を受信する受信処理モジュール１、受信処理モジュール１が受信するコンテンツ（番組）を、コンテンツの供給元が用意した識別情報に基づいて選択するＣＡＳ制御モジュール２、受信したコンテンツを、表示装置が表示可能な信号として出力するための信号選択モジュール３、デコードモジュール４及びＡ／Ｖ（Audio／Video）出力モジュール５のそれぞれを制御するとともに、モジュール間の信号の受け渡しを管理する主制御モジュール６を含む。また、受信装置１０１は、ユーザの要求に従い、受信したコンテンツを記録する記録再生制御モジュール７をさらに有する。なお、上述ならびに以下に「モジュール」と呼称する要素は、ハードウエアで実現するものであってもよいし、ＣＰＵ（マイクロコンピュータ）等を用いてソフトウエアで実現するものであってもよい。
【００１９】
受信処理モジュール１は、図２を用いて詳述するが、１ａ，１ｂ，・・・，１ｎ−１，１ｎ（ｎは、正の整数）毎に、入力信号から所定のチャンネルを選局（チューニング）するチューナモジュール、チューナモジュールで選局された信号からコンテンツ供給元すなわちＣＡＳ事業体の情報やＣＡＳが用意した契約情報等を含む管理情報と、コンテンツを含んだトランスポートストリーム（Transport Stream，ＴＳ）を分離するＴＳ分離モジュール、ＴＳ分離モジュールが分離した管理情報から、以下に説明するＣＡＳ制御モジュールによりＣＡＳが提供する識別情報（ＣＡＳカード）を用いて、ＣＡＳ側で施された暗号化キー（鍵）を解除（デスクランブル）し、コンテンツの映像信号及び音声信号（ＰＥＳ（Packetized Elementary Stream））を得るデスクランブラモジュールを含む。
【００２０】
ＣＡＳ制御モジュール２は、コンテンツ供給元すなわちＣＡＳが用意した契約情報等に基づく識別符号（ＩＤ）を保持したＣＡＳカードからＩＤを読み取り、ユーザによるコンテンツの受信（視聴）を許可する。ＣＡＳを受信可能な受信装置には、ＣＡＳが用意した識別カード（ＣＡＳカードと呼ばれる）が要求される。ＣＡＳカードは、供給元あるいは配信事業者の事業形態に基づき、複数種類が用意されている。なお、ＣＡＳ制御モジュール２は、例えば２枚のＣＡＳカードを収容可能である。
【００２１】
ＣＡＳカードは、周知の通り、「社団法人電波産業会（ＡＲＩＢ）」が管理する「ＡＲＩＢ  ＴＲ−Ｂ１５」に準拠し、１枚のカードで２つのストリームをデスクランブル（暗号化キーの解除）可能である。なお、ＣＡＳカードは、Ｂ−ＣＡＳカードとも称され、青カードと呼ばれる第１の規格のカードと、赤カードと呼ばれる第２の規格のカードに区分される。
【００２２】
第１の規格のカード（青カード）は、全てのコンテンツが現時点では無料である（視聴に対する対価の要求すなわち課金がない）地上デジタル放送のストリームのみをデスクランブル可能なＩＤ（識別符号）を保持したカードである。
【００２３】
第２の規格のカード（赤カード）は、有料（視聴に対して対価を要求（課金）する）放送についてもデスクランブル可能なＩＤ（識別符号）を保持したカードであり、地上デジタル放送のストリームに加え、例えばＣＳデジタル放送や配信事業者が光ファイバ網を経由して供給するストリーム（コンテンツ）も受信可能である。
【００２４】
信号選択モジュール３は、主要な構成及びその機能は広く知られているので詳細な説明を省略するが、受信処理モジュール１または記録再生制御モジュール７から供給される各信号を、信号毎に規定された処理方法に従い、引き続くデコードモジュール４がデコード可能に、処理する。
【００２５】
受信モジュール１が出力する信号が、衛星放送すなわちＢＳ（Broadcasting Satellite，放送衛星）またはＣＳ（Communication Satellite，通信衛星）により提供される衛星デジタル放送信号である場合、チューナモジュールで選局されたチャンネルのコンテンツは、ＰＳＫ（Phase Shift Keying）復調モジュールにより復調され、トランスポートストリーム（Transport Stream，ＴＳ）が取り出されたのち、ＴＳ復号モジュールにより、復号処理（デパケット）される。これにより、選択したコンテンツのデジタルの映像信号及び音声（オーディオ）信号（ＰＥＳ（Packetized Elementary Stream））が得られる。
【００２６】
受信モジュール１が出力する信号が、地上デジタル放送信号である場合、チューナモジュールで選局されたチャンネルのコンテンツは、ＯＦＤＭ（Orthogonal Frequency Division Multiplexing）復調モジュールにより復調され、トランスポートストリーム（Transport Stream，ＴＳ）が取り出されて、以下、衛星放送信号と同様に、処理される。
【００２７】
受信モジュール１が出力する信号が、地上アナログ放送信号である場合、選局されたチャンネルのコンテンツは、アナログ復調モジュールによりアナログの映像信号および音声信号（オーディオ）に復調される。
【００２８】
なお、後段に説明する記録再生制御モジュール７が出力する信号は、通常は、ＭＰＥＧ（Moving Picture Experts Group）−２あるいは，−４（Ｈ．２６４−ＡＶＣ）規格（オーディオ／音声はＭＥＰＧ−２）に基づいて圧縮された信号であり、そのまま後段のデコードモジュール４へ出力される。
【００２９】
デコードモジュール４は、主要な構成及びその機能は広く知られているので詳細な説明を省略するが、信号選択モジュール３から出力されるＰＥＳ（Packetized Elementary Stream）をデコードし、選択されたコンテンツの映像信号および音声（オーディオ）信号を出力する。映像信号及びオーディオ（音声）信号は、図示しないがＤ／Ａコンバータによりアナログ信号に変換され、後段のＡ／Ｖ（Audio／Video）出力モジュール５に供給される。なお、デコードされた信号から、ＴＳに含まれているセクション情報、各種データ（サービス情報）、電子番組ガイド（ＥＰＧ）情報、番組属性情報（番組ジャンル等）および字幕情報等も取り出される。デコードモジュール４はまた、信号選択モジュール３からアナログの映像信号および音声（オーディオ）信号が供給された場合には、そのまま後段のＡ／Ｖ出力モジュール５に出力する。また、デコードモジュール４は、記録再生制御モジュール７からの圧縮された信号については、（圧縮方法に対応する）デコーダでデコードし、図示しないＤ／Ａコンバータによりアナログ信号に変換して、後段のＡ／Ｖ出力モジュール５に出力する。
【００３０】
Ａ／Ｖ（Audio／Video）出力モジュール５は、主要な構成及びその機能は広く知られているので詳細な説明を省略するが、外部に接続されるモニタ装置（ディスプレイ）が表示（再生）可能な映像出力を生成する映像処理モジュールと外部に接続されるオーディオ（音声）再生装置、すなわちスピーカあるいはヘッドホン等が再生可能なオーディオ出力（音声を含む）を出力するためのオーディオ処理モジュールとを含む。映像出力については、デコードモジュール４から供給されるデジタルの映像信号と、例えば操作ガイドやエラーメッセージ等であり、ＯＳＤ（On Screen Display）信号生成モジュールで生成されるＯＳＤ信号と、データ放送等である場合に生成される画像（テキスト）データと、ＴＳから取得したＥＰＧデータあるいは字幕信号等を合成して、映像出力８に出力する。オーディオ出力については、必要に応じ、予め用意された案内（音声ガイド）を、適時重畳して、オーディオ出力９に出力する。なお、テレビ受信装置等、表示装置及びスピーカが一体的に設けられている場合には、映像処理モジュール及びオーディオ処理モジュールの出力が、そのまま供給されることはいうまでもない。
【００３１】
また、図示しないがＯＳＤ信号生成モジュールが映像処理モジュールに出力する出力ＯＳＤ信号は、ＯＳＤ信号生成モジュールの出力ＯＳＤ信号とグラフィック処理モジュールの両出力を、例えばそれぞれ画面の半分を構成するように組み合わせて表示（再生）可能に、映像出力に反映することができる。また、グラフィック処理モジュールは、αブレンディングと呼ばれるパラメーターが設定されることで、通常の映像表示上に、ＯＤＳ信号生成モジュールからの出力を、「半透明」状態で（通常の映像信号の一部を透過可能に）重ね合わせた状態で表示（再生）可能に、映像出力に反映することができる。グラフィック処理モジュールはまた、コンテンツが字幕信号を伴い、字幕が表示可能である場合は、映像出力に、字幕信号を重畳することができる。
【００３２】
主制御モジュール６は、主要な構成及びその機能は広く知られているので一部を除いて詳細な説明を省略するが、番組データベース処理モジュール６Ａ、視聴制御モジュール６Ｂ、メモリモジュール６Ｃ、表示制御モジュール６Ｄ及びＭＰＵ（マイクロプロセッサ、あるいはコアプロセッサ）６Ｅを少なくとも含む。
【００３３】
番組データベース処理モジュール６Ａは、例えばＥＰＧの表示やＥＰＧにより取得したコンテンツの情報に従う録画予約の受け付け等の機能に利用される。
【００３４】
視聴制御モジュール６Ｂは、ＣＡＳカードが保持するＩＤ（識別符号）に従う任意のチューナによるコンテンツの受信（チャンネルまたはＣＡＳ事業体の選択）や、コンテンツが含む管理情報（ＣＡＳ事業体の情報）の取得等に利用される。
【００３５】
メモリモジュール６Ｃは、動作プログラムを保持したＲＯＭ（Read Only Memory）、作業エリアを提供するＲＡＭ（Random Access Memory）、及び各種の設定情報や制御情報等が格納され、保持される不揮発性メモリ（Non Volatility Memory，ＮＶＭ）を含む。なお、ＲＡＭは、取得したＥＰＧデータも保持する。また、不揮発性メモリ（ＮＶＭ）は、録画予約を実現するための予約情報、直前に視聴あるいは録画していたチャンネル（ＣＡＳ）情報等を保持する。
【００３６】
表示制御モジュール６Ｄは、Ａ／Ｖ（Audio／Video）出力モジュール５に出力すべきＯＳＤ信号の生成や操作ガイドとして表示される画像表示（アイコン（Icon）表示やＧＵＩ（Graphical User Interface）において表示すべきさまざまな表示）を制御する。
【００３７】
主制御モジュール６は、上述した受信処理モジュール１、ＣＡＳ制御モジュール２、信号選択モジュール３、デコードモジュール４及びＡ／Ｖ（Audio／Video）出力モジュール５のそれぞれを制御するとともに、モジュール間の信号の受け渡しを管理する。
【００３８】
また、主制御モジュール６は、図示しない操作モジュールにより入力される操作情報、または図示しないリモコン（リモート端末）から送出された操作情報を図示しないリモコン受信モジュールにより受信したリモコン入力に対応する操作内容が反映されるように、上述した各モジュールを制御するとともに、メモリモジュール６Ｃが含むＲＯＭが保持するプログラムに従い、起動プログラムを実行し、次の入力、または録画予約等に備えた待機状態をセットする。
【００３９】
また、主制御モジュール６は、ＲＯＭに格納されている制御プログラムに基づいて、後段に説明するが、記録再生制御モジュール７が有する記録媒体について、欠陥場所検出、未記録領域検出、録画情報記録位置設定、ＵＤＦ記録、及びＡ／Ｖアドレス設定等を実行する。なお、主制御モジュール６は、詳述しないが、ディレクトリ検出部、ＶＭＧ（ビデオ管理情報）作成部、コピー関連情報検知部、コピー及びスクランブリング情報処理部（ＲＤＩ処理部）、パケットヘッダ処理部、シーケンスヘッダ処理部、アスペクト比情報処理部、編集を実行する際の管理情報を処理する編集時管理情報制御部、あるいは録画を実行する際の管理情報を処理する録画時管理情報制御部、等として所定の動作あるいは処理を実現するための、さまざまな信号処理ブロックを含む。
【００４０】
主制御モジュール６はまた、設定された『予約録画』に関する、例えば［開始日時］，［終了日時］，［チャンネル］及び［レート］等の情報を保持し、設定された予約録画を実現する。
【００４１】
主制御モジュール６はまた、また、主制御モジュール６は、取得したＣＡＳカードの管理情報（鍵）を用いて個々のチューナモジュールが受信するコンテンツの受信範囲（チャンネルまたはＣＡＳ事業体）を設定する。
【００４２】
主制御モジュール６はまた、デコードされた信号から、ＴＳに含まれているセクション情報、各種データ（サービス情報）、電子番組ガイド（ＥＰＧ）情報、番組属性情報（番組ジャンル等）、字幕情報を取得する。
【００４３】
なお、コンテンツ（ストリーム）に付属する管理情報（ＣＡＳ事業体の情報）は、図２により後段に説明するが、受信処理ジュール１が含むＴＳ分離モジュールにより、予めＴＳから分離される。また、ＣＡＳ事業体の情報は、ＣＡＳ事業体が提供するコンテンツが含むＩＰＭＰ記述子あるいはＩＰＭＰツールＩＤから取り出すことができ、例えばＥＣＭあるいはＥＭＭ（ＭＰＥＧ−２規格である場合）により特定される。取得したＣＡＳ事業体の情報は、ＣＡＳ制御モジュール２において、入力されたコンテンツ供給元すなわちＣＡＳまたはチャンネルを受信する際に、上述した第１の規格のカード（青カード）または第２の規格のカード（赤カード）のどちらを用いるかを設定する際に有益である。
【００４４】
すなわち、ＣＳ放送やケーブルテレビ事業者が供給するコンテンツを含む全てのコンテンツ（放送）を受信可能な赤カードを用いて地上デジタル放送を受信した場合、ＣＡＳカードの取り扱い上の制約（受信範囲）があるため、その地上デジタル放送を受信している間は、赤カードのみに認められているＣＳ放送やケーブルテレビ事業者が提供する有料のコンテンツが受信できなくなる。このため、これまでは、ユーザに、受信するコンテンツ（受信範囲）に応じてＣＡＳカードを使い分けることが要求されている。
【００４５】
これに対し、ＣＡＳ制御モジュール２により、取得したＣＡＳ事業体の情報を用いて、コンテンツの受信に利用するＣＡＳカードを選択することにより、ユーザは、コンテンツ（受信範囲）に応じてＣＡＳカードを使い分けるという作業（判断）から解放される。また、ＣＡＳカードの選択をＣＡＳ制御モジュール２により自動的に実行することで、ユーザの誤ったＣＡＳカードの選択あるいはユーザの誤解等に起因して、青カードによっても受信が可能なコンテンツ（チャンネルあるいはＣＡＳ）の受信時に、不所望に赤カードが優先して利用されることが防止できる。これにより、操作性が格段に向上する。
【００４６】
なお、赤カード及び青カードのそれぞれが保持する契約情報等は、主制御モジュール６による起動処理時（起動プログラム実行時）に、カードの種別とともに予めチェックされることはいうまでもない。
【００４７】
記録再生制御モジュール７は、記録モード（レート）による違いがあるが、百時間程度のコンテンツの録画が可能なＨＤＤ（Hard Disk Drive，大容量記憶装置）を含み、受信したコンテンツあるいは入力される情報を保持する。なお、ＨＤＤは、２以上用意されてもよく、図１に示す例では、４である。また、ＨＤＤが複数用意される場合、それぞれが同一あってもよく、もちろん異なるものであってもよい。また、ＨＤＤに代えて、例えば半導体メモリ（メモリカード）を記録媒体とすることも可能であるし、併用されてもよいことはいうまでもない。
【００４８】
図２は、図１に示した受信装置の受信処理部をより詳細に説明する。
【００４９】
受信装置１０１の受信処理モジュール１においては、図１により概略を説明したが、各空間波、すなわちＢＳ／ＣＳデジタル放送向け、地上デジタル放送向け、及び地上アナログ放送向け等の図示しないアンテナ、あるいは光ファイバ網等を介して配信事業者が供給するコンテンツの入力端等を経由して、任意数のチャンネルのコンテンツが受信可能である。なお、受信処理モジュール１は、ＢＳ／ＣＳデジタル放送、地上デジタル放送、あるいは配信事業者であるＣＡＳが供給するコンテンツを、ＣＡＳカードが保持する情報、例えば契約情報あるいは過去の課金に対する決済状況等を反映した受信許可情報等に応じ、ユーザが受信しようとする任意のチャンネルの番組（コンテンツ）を、受信可能である。
【００５０】
図２（図１）に示す例では、ＣＡＳ制御モジュール２は、２枚のＣＡＳカードを処理可能であり、最大で同時に４つのストリーム（コンテンツ）を受信可能である。なお、２枚のＣＡＳカードは、上述した赤カードと青カードがそれぞれ１枚ずつであることが一般的であるが、例えば青カードが２枚であってもよいことはいうまでもない。また、起動時にカードＩＤを読み込み、ＩＤリストと比較して赤カード（第２の規格のカード）と、青カード（第１の規格のカード）の識別を行う。
【００５１】
図２に示す受信処理モジュール１が受信した信号（放送波または配信事業者が光ファイバ網を経由して供給するストリーム）は、任意のチューナモジュール１１ａ，１１ｂ，・・・，１１ｎ−１，１１ｎ（ｎは、正の整数）により選局され、対応するＴＳ分離モジュール１２ａ，１２ｂ，・・・，１２ｎ−１，１２ｎ（ｎは、正の整数）において、コンテンツ供給元すなわちＣＡＳ事業体の情報やＣＡＳが用意した契約情報等を含む管理情報が、後段の信号処理モジュール３へ供給されるコンテンツすなわち映像信号及び音声（オーディオ）信号と分離される。
【００５２】
各ＴＳ分離モジュール１２ａ，１２ｂ，・・・，１２ｎ−１，１２ｎで分離されたＣＡＳ事業体の情報やＣＡＳが用意した契約情報等は、対応するデスクランブルモジュール１３ａ，１３ｂ，・・・，１３ｎ−１，１３ｎ（ｎは、正の整数）に供給され、ＣＡＳ側で施された暗号化キー（鍵）の解除（デスクランブル）に用いられる。なお、取得した（ＴＳ分離モジュールにおいて分離された）ＣＡＳ事業体の情報やＣＡＳが用意した契約情報等に基づいて、図３〜図５を用いて以下に説明するが、上述した第１の規格のカード（青カード）または第２の規格のカード（赤カード）のどちらを用いるかが、設定される。
【００５３】
図３は、取得したＣＡＳ事業体の情報やＣＡＳが用意した契約情報等に基づいて、番組（ストリーム）受信時に優先して利用するＣＡＳカードを設定する方法の一例を示す。なお、図３においては、ＣＡＳ制御モジュールに用意されたＣＡＳカードが赤カード（第２の規格に対応したカード）と青カード（第１の規格に対応したカード）である場合であって、赤カードをＣＡＳカード１とし、青カード（地上デジタル放送のみをデスクランブル可能）をＣＡＳカード２として説明する。
【００５４】
任意のストリームの入力があると、ＢＳ／ＣＳ放送であるか、それ以外すなわち地上デジタル放送であるか、がチェックされる（ブロック０１）。
【００５５】
ブロック０１において、地上デジタル放送であることがチェックされる（ブロック０１−ＮＯ）と、ＣＡＳカード２（青）に２つのチャンネル（ストリーム）を割りあてているか否か（２つのストリームの受信に青カードが利用されているか否か）、がチェックされる（ブロック０２）。
【００５６】
ブロック０２において、ＣＡＳカード２（青）に割りあてられているストリームの数が２未満であることがチェックされた場合すなわち青カードにストリーム受信の空きがある場合（ブロック０２−ＮＯ）、ＣＡＳカード２（青）に上述した［ＥＣＭ（管理情報）］がセットされる。従って、入力のあったストリームの受信に、ＣＡＳカード２（青）が用いられる（ブロック０３）。
【００５７】
ブロック０２において、ＣＡＳカード２（青）に割りあてられているストリームの数が２であることがチェックされた場合すなわち青カードにストリーム受信の空きがない場合（ブロック０２−ＹＥＳ）、ＣＡＳカード１（赤）に２つのチャンネル（ストリーム）を割りあてているか否か（２つのストリームの受信に赤カードが利用されているか否か）、がチェックされる（ブロック０４）。
【００５８】
ブロック０４において、ＣＡＳカード１（赤）に割りあてられているストリームの数が２未満であることがチェックされた場合すなわち赤カードにストリーム受信の空きがある場合（ブロック０４−ＮＯ）、ＣＡＳカード１（赤）に上述した［ＥＣＭ（管理情報）］がセットされる。従って、入力のあったストリームの受信に、ＣＡＳカード１（赤）が用  いられる（ブロック０５）。
【００５９】
これに対し、ブロック０４において、ＣＡＳカード１（赤）に割りあてられているストリームの数が２であることがチェックされた場合すなわち赤カードにストリーム受信の空きがない場合（ブロック０４−ＹＥＳ）、上述した［ＥＣＭ（管理情報）］のＣＡＳカード１（赤）へのセットが中止されるとともに、主制御モジュール６の制御により、映像／オーディオ出力部５の映像出力８に、例えば『全てのＣＡＳカードが使用中です（現在はこのチャンネルの番組の受信はできません［コード：×××］）』等のワーニング表示を可能とする出力が出力される。もちろん、オーディオ出力９に、音声によるメッセージを出力可能に、所定のガイド音声出力が出力されてもよい（ブロック０６）。なお、［コード：×××］は、例えばユーザガイドやオンラインマニュアルを参照することを促すとともに、ＣＡＳカードの機能と、ＣＡＳカードに『ストリームを受信可能とするための「空き」がないこと、すなわち１以上のストリームの受信を中止する必要があること』等をユーザに報知するために利用される。
【００６０】
すなわち、図３に示した例では、セットされたＣＡＳカードにより規定される受信範囲（チャンネルまたはＣＡＳ事業体）が異なる場合、例えば『地上デジタル専用』と『ＢＳ／ＣＳも受信可能』である場合に、以降に要求される受信範囲（チャンネルまたはＣＡＳ事業体）の選択に際してより広い範囲の受信が可能に、ＣＡＳカードが選択される。すなわち、入力が『地上デジタル放送』であることを検出した場合、青カード（第１の規格のカード）を割りあてることにより、次に受信しようとするコンテンツ（ストリーム）が、ＢＳ／ＣＳであったとしても、受信が制限されることが防止される。従って、ユーザは、受信しようとした番組の供給元または配信事業者の事業形態を考慮することなく、希望する番組をそのまま受信できる。従って、ユーザの希望する番組が、ＣＡＳカード（識別情報）の違いにより受信できなくなることが低減される。
【００６１】
すなわち、図３の例では、挿入されている赤カードで処理可能な上限値を最大まで利用できるように地デジを青カード優先で割り当てる。地上放送はコンテンツ保護を伴う無料番組として運用されているため（有料放送が運用されていないため）、青カードを優先し、ＢＳ／ＣＳは赤カードを優先する。選局開始時に使用するカードを決定できるため、ユーザ操作によるチャンネル切り替えを制限する（例えば、赤カード１枚ではＢＳ／ＣＳを３チャンネル同時に選局させない）ことが容易である。
【００６２】
図４は、取得したＣＡＳ事業体の情報やＣＡＳが用意した契約情報等に基づいて、番組（ストリーム）受信時に優先して利用するＣＡＳカードを設定する方法であって、図３に示した例とは異なる例を示す。なお、図４においては、ＣＡＳ制御モジュールに用意されたＣＡＳカードが赤カード（第２の規格に対応したカード）と青カード（第１の規格に対応したカード）である場合であって、赤カードをＣＡＳカード１とし、青カード（地上デジタル放送のみをデスクランブル可能）をＣＡＳカード２として説明する。
【００６３】
任意のストリームの入力があると、ＢＳ／ＣＳ放送であるか、それ以外すなわち地上デジタル放送であるか、がチェックされる（ブロック１１）。
【００６４】
ブロック１１において、地上デジタル放送であることがチェックされる（ブロック１１−ＮＯ）と、ＣＡＳカード２（青）に２つのチャンネル（ストリーム）を割りあてているか否か（２つのストリームの受信に青カードが利用されているか否か）、がチェックされる（ブロック１２）。
【００６５】
ブロック１２において、ＣＡＳカード２（青）に割りあてられているストリームの数が２未満であることがチェックされた場合すなわち青カードにストリーム受信の空きがある場合（ブロック１２−ＮＯ）、受信しようとしているコンテンツ（ストリーム）が『コンテンツ保護を伴うが、無料である』か否か、がチェックされる（ブロック１３）。
【００６６】
ブロック１３において、受信しようとしているコンテンツ（ストリーム）が『コンテンツ保護を伴うが、無料である』ことがチェックされた場合（ブロック１３−ＹＥＳ）、ＣＡＳカード２（青）に上述した［ＥＣＭ（管理情報）］がセットされる。従って、入力のあったストリームの受信に、ＣＡＳカード２（青）が用いられる（ブロック１４）。
【００６７】
ブロック１２において、ＣＡＳカード２（青）に割りあてられているストリームの数が２であることがチェックされた場合すなわち青カードにストリーム受信の空きがない場合（ブロック１２−ＹＥＳ）、あるいはブロック１３において、受信しようとしているコンテンツ（ストリーム）が『コンテンツ保護を伴い、有料である』ことがチェックされた場合（ブロック１３−ＮＯ）、ＣＡＳカード１（赤）に２つのチャンネル（ストリーム）を割りあてているか否か（２つのストリームの受信に赤カードが利用されているか否か）、がチェックされる（ブロック１５）。
【００６８】
ブロック１５において、ＣＡＳカード１（赤）に割りあてられているストリームの数が２未満であることがチェックされた場合すなわち赤カードにストリーム受信の空きがある場合（ブロック１５−ＮＯ）、ＣＡＳカード１（赤）に上述した［ＥＣＭ（管理情報）］がセットされる。従って、入力のあったストリームの受信に、ＣＡＳカード１（赤）が用いられる（ブロック１６）。
【００６９】
これに対し、ブロック１５において、ＣＡＳカード１（赤）に割りあてられているストリームの数が２であることがチェックされた場合すなわち赤カードにストリーム受信の空きがない場合（ブロック１６−ＹＥＳ）、上述した［ＥＣＭ（管理情報）］のＣＡＳカード１（赤）へのセットが中止されるとともに、主制御モジュール６の制御により、映像／オーディオ出力部５の映像出力８に、例えば『全てのＣＡＳカードが使用中です（現在はこのチャンネルの番組の受信はできません［コード：×××］）』等のワーニング表示を可能とする出力が出力される。もちろん、オーディオ出力９に、音声によるメッセージを出力可能に、所定のガイド音声出力が出力されてもよい（ブロック１７）。
【００７０】
すなわち、図４に示した例では、セットされたＣＡＳカードにより規定される受信範囲（チャンネルまたはＣＡＳ事業体）が異なる場合、例えば『地上デジタル専用』と『ＢＳ／ＣＳも受信可能』である場合に、以降に要求される受信範囲（チャンネルまたはＣＡＳ事業体）の選択に際してより広い範囲の受信が可能に、ＣＡＳカードが選択される。すなわち、入力が『地上デジタル放送』であること、及び『コンテンツ保護を伴うが、無料である』ことを検出した場合、青カード（第１の規格のカード）を割りあてることにより、次に受信しようとするコンテンツ（ストリーム）が、ＢＳ／ＣＳもしくは将来的には提供されることが予想される地上デジタル放送のうちの『コンテンツ保護を伴い、有料（のコンテンツ）』であったとしても、受信が制限されることが防止される。従って、ユーザは、受信しようとした番組の供給元または配信事業者の事業形態を考慮することなく、希望する番組をそのまま受信できる。従って、ユーザの希望する番組が、ＣＡＳカード（識別情報）の違いにより受信できなくなることが低減される。
【００７１】
また、図４の例では、ＥＣＭの事業体識別を判定し、コンテンツ保護を伴う無料番組か有料放送かを判定要素に加えることで、地上デジタル放送（地デジ）の有料放送にも対応可能になる。すなわち、地上放送はコンテンツ保護を伴う無料番組として運用されているが、運用規定上は有料放送を行うことが可能である。ＥＣＭに記載される事業体識別はコンテンツ保護を伴う無料番組の場合は固定の値に規定されており、これを参照することでコンテンツ保護を伴う無料番組であることが識別できるので、上記判定にこの情報を加えてＥＣＭを送るカードを選択することで、将来有料放送が実施された場合にも対応することが可能になる。
【００７２】
図５は、取得したＣＡＳ事業体の情報やＣＡＳが用意した契約情報等に基づいて、番組（ストリーム）受信時に優先して利用するＣＡＳカードを設定する方法であって、図３及び図４に示した例とは異なる例を示す。なお、図５においては、ＣＡＳ制御モジュールに用意されたＣＡＳカードが赤カード（第２の規格に対応したカード）と青カード（第１の規格に対応したカード）である場合であって、赤カードをＣＡＳカード１とし、青カード（地上デジタル放送のみをデスクランブル可能）をＣＡＳカード２として説明する。
【００７３】
任意のストリームの入力があると、『コンテンツ保護を伴うが、無料である』か否か、がチェックされる（ブロック２１）。
【００７４】
ブロック２１において、『コンテンツ保護を伴うが、無料である』ことがチェックされる（ブロック２１−ＹＥＳ）と、ＣＡＳカード２（青）に２つのチャンネル（ストリーム）を割りあてているか否か（２つのストリームの受信に青カードが利用されているか否か）、がチェックされる（ブロック２２）。
【００７５】
ブロック２２において、ＣＡＳカード２（青）に割りあてられているストリームの数が２未満であることがチェックされた場合すなわち青カードにストリーム受信の空きがある場合（ブロック２２−ＮＯ）、ＣＡＳカード２（青）に上述した［ＥＣＭ（管理情報）］がセットされる。従って、入力のあったストリームの受信に、ＣＡＳカード２（青）が用いられる（ブロック２３）。
【００７６】
ブロック２２において、ＣＡＳカード２（青）に割りあてられているストリームの数が２であることがチェックされた場合すなわち青カードにストリーム受信の空きがない場合（ブロック２２−ＹＥＳ）、ＣＡＳカード１（赤）に２つのチャンネル（ストリーム）を割りあてているか否か（２つのストリームの受信に赤カードが利用されているか否か）、がチェックされる（ブロック２４）。
【００７７】
ブロック２４において、ＣＡＳカード１（赤）に割りあてられているストリームの数が２未満であることがチェックされた場合すなわち赤カードにストリーム受信の空きがある場合（ブロック２４−ＮＯ）、ＣＡＳカード１（赤）に上述した［ＥＣＭ（管理情報）］がセットされる。従って、入力のあったストリームの受信に、ＣＡＳカード１（赤）が用いられる（ブロック２５）。
【００７８】
これに対し、ブロック２４において、ＣＡＳカード１（赤）に割りあてられているストリームの数が２であることがチェックされた場合すなわち赤カードにストリーム受信の空きがない場合（ブロック２４−ＹＥＳ）、上述した［ＥＣＭ（管理情報）］のＣＡＳカード１（赤）へのセットが中止されるとともに、主制御モジュール６の制御により、映像／オーディオ出力部５の映像出力８に、例えば『全てのＣＡＳカードが使用中です（現在はこのチャンネルの番組の受信はできません［コード：×××］）』等のワーニング表示を可能とする出力が出力される。もちろん、オーディオ出力９に、音声によるメッセージを出力可能に、所定のガイド音声出力が出力されてもよい（ブロック２６）。
【００７９】
すなわち、図５に示した例では、セットされたＣＡＳカードにより規定される受信範囲（チャンネルまたはＣＡＳ事業体）が異なる場合であって、入力コンテンツが、『地上デジタル放送』あるいは『ＢＳ／ＣＳ（衛星デジタル）放送』と明確に識別できない、例えば有線（光ファイバ網）によりコンテンツを提供する配信事業者からのコンテンツであるような場合に、以降に要求される受信範囲（チャンネルまたはＣＡＳ事業体）の選択に際してより広い範囲の受信が可能に、ＣＡＳカードが選択される。すなわち、入力が『配信事業者からのコンテンツ』であることを検出した場合、青カード（第１の規格のカード）を割りあてることにより、次に受信しようとするコンテンツ（ストリーム）が、ＢＳ／ＣＳであったとしても、受信が制限されることが防止される。従って、ユーザは、受信しようとした番組の供給元または配信事業者の事業形態を考慮することなく、希望する番組をそのまま受信できる。従って、ユーザの希望する番組が、ＣＡＳカード（識別情報）の違いにより受信できなくなることが低減される。
【００８０】
すなわち、図５の例は、ＥＣＭの事業体識別のみで使用するカードを判定する方法も考えられる。ただし、ＥＣＭ取得後の判定になるため、ユーザ操作によるチャンネル切り替えを制限する（例えば、赤カード１枚ではＢＳ／ＣＳを３チャンネル同時に選局させない）ことができない。
【００８１】
以上説明したように、この発明の実施の一形態を適用することにより、受信しようとしているストリーム（コンテンツあるいは番組）を提供するＣＡＳ事業体の情報に基づいて用意されているＣＡＳカード（識別情報）により規定される受信範囲（チャンネルまたはＣＡＳ事業体）が異なる場合に、以降に要求される受信範囲（チャンネルまたはＣＡＳ事業体）の選択に際してより広い範囲の受信が可能に、ＣＡＳカードが選択される。すなわち、ユーザは、受信しようとした番組の供給元または配信事業者の事業形態を考慮することなく、希望する番組をそのまま受信できる。従って、ユーザの希望する番組が、識別情報の違いにより受信できなくなることが低減される。
【００８２】
また、受信可能な範囲が異なる２以上のＣＡＳカードが用意されている場合において、それぞれのカードで共通して受信可能な受信範囲を受信する際に、受信範囲が広いカードを後から利用するよう制御することにより、受信範囲が広いカードによってのみ受信可能な特定のチャンネルまたはＣＡＳ事業体を受信できなくなる恐れが抑止される。従って、受信範囲が広いカードを保持したユーザが、代替のカードが存在するにもかかわらず、受信範囲が広いカードが既に利用されていることに起因して、希望する番組を受信できなくなることが低減される。
【００８３】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【００８４】
例えば、送信側ではコンテンツにスクランブルを施して送信し、さらにデスクランブル用の鍵を暗号化したものを含むＥＣＭを送信し、受信側では受信したＥＣＭをＣＡＳカードに送り、ＣＡＳカード内で復号した鍵でデスクランブルを行うＣＡＳシステムが運用される放送システムにおいて、放送波を受信するチューナを複数備え、ＣＡＳカードを接続するカードスロットを複数備え、カードスロットに挿入される複数のＣＡＳカードそれぞれのカード識別情報を読み出し、それぞれのカード種別を判定する手段と、チューナの選局情報と判定手段の結果に従って、ＥＣＭを送るＣＡＳカードを決定するＣＡＳカード選択手段を備えたデジタル放送受信装置が該当する。
【００８５】
また、例えば、ＣＡＳカード選択手段ではチューナの選局情報と判定手段の結果に加えてＥＣＭに含まれるＣＡＳの運用事業者の情報も判定に利用することを特徴とするデジタル放送受信装置が該当する。
【符号の説明】
【００８６】
１…受信処理モジュール、２…ＣＡＳ制御モジュール、３…信号選択モジュール、４…デコードモジュール、５…Ａ（Audio）／Ｖ（Video）出力モジュール、６…主制御モジュール、７…記録再生制御モジュール、８…映像出力、９…オーディオ（音声）出力、１０１…受信装置。
【図１】
2011071759.tif 000003
【図２】
2011071759.tif 000004
【図３】
2011071759.tif 000005
【図４】
2011071759.tif 000006
【図５】
2011071759.tif 000007